(57)【要約】      （修正有）【課題】オーバーヘッド情報を伝送して、個々のデータストリームの効率的な受信を容易にする。【解決手段】基地局は、多数のデータチャネル(ＭＬＣ)上で多数のデータストリームを伝送する。ＭＬＣは、異なる時間に、異なる周波数サブバンド上で伝送される。オーバーヘッド情報は、各ＭＬＣの時間−周波数の位置を示し、“複合”オーバーヘッド情報および“埋め込まれた”オーバーヘッド情報として送られる。複合オーバーヘッド情報は、全てのＭＬＣの時間−周波数の位置を示し、各スーパーフレームにおいて定期的に送られる。無線デバイスは、複合オーバーヘッド情報を受信し、各ＭＬＣの時間−周波数の位置を判断し、示された時間−周波数の位置において各ＭＬＣを受信する。各ＭＬＣの埋め込まれたオーバーヘッド情報は、次のスーパーフレームにおけるＭＬＣの時間−周波数の位置を示し、現在のスーパーフレーム内のＭＬＣのペイロードと共に伝送される。【選択図】図２
2010109991.tif 000002
【特許請求の範囲】
【請求項１】
通信システムにおいてオーバーヘッド情報を伝送する方法であって、
複数のデータチャネルの各々の位置情報を判断することであって、各データチャネルの位置情報が、データチャネルが伝送される時間位置、周波数位置、または時間および周波数の両者の位置を示していることと、
オーバーヘッド情報を複数のデータチャネルの位置情報を用いて生成することと、
オーバーヘッド情報を時分割多重化(time division multiplexed, TDM)方式で複数のデータチャネルのデータと共に伝送することとを含む方法。
【請求項２】
複数のデータチャネルの各々の上で、少なくとも１本のデータストリームを伝送することをさらに含む請求項１記載の方法。
【請求項３】
各データチャネルの位置情報が、データチャネル上で伝送されるデータストリーム数を示している請求項２記載の方法。
【請求項４】
各データチャネルの位置情報が、データチャネル上で伝送される各データストリームのサイズを示している請求項２記載の方法。
【請求項５】
スーパーフレームにおいて複数のデータチャネルを伝送することであって、各スーパーフレームが所定の時間の継続期間をもつことをさらに含み、
オーバーヘッド情報をＴＤＭ方式で伝送することが、各スーパーフレーム内のオーバーヘッド情報をＴＤＭ方式で複数のデータチャネルのデータと共に伝送することを含む請求項１記載の方法。
【請求項６】
各スーパーフレームにおいて伝送されるオーバーヘッド情報が、スーパーフレームの複数のデータチャネルの位置情報を含む請求項５記載の方法。
【請求項７】
複数のデータチャネルの各々の位置情報を判断することが、
データチャネルが現在のスーパーフレームにおいて伝送されているかどうか示すための、現在のスーパーフレームの各データチャネルの位置情報を生成することを含む請求項５記載の方法。
【請求項８】
複数のデータチャネルの各々の位置情報を判断することが、
現在のスーパーフレームにおいて伝送される各データチャネルのために、データチャネルが現在のスーパーフレームにおいて伝送される開始時間を示すための、データチャネルの位置情報を生成することを含む請求項５記載の方法。
【請求項９】
複数のデータチャネルの各々の位置情報を判断することが、
現在のスーパーフレームにおいて伝送されていない各データチャネルのために、データチャネルが潜在的に伝送される直ぐ次のスーパーフレームを示すための、データチャネルの位置情報を生成することを含む請求項５記載の方法。
【請求項１０】
複数のスロットにおいて複数のデータチャネルを伝送することであって、各スロットが、周波数サブバンドのそれぞれの組と関係付けられていることをさらに含む請求項１記載の方法。
【請求項１１】
複数のスロットが複数のスロット表示を割り当てられ、複数のデータチャネルの各々の位置情報を判断することが、
データチャネルに使用される最低スロット表示、開始スロット表示、および最高スロット表示を示すための、各チャネルの位置情報を生成することを含む請求項１０記載の方法。
【請求項１２】
複数のデータチャネルの各々の位置情報を判断することが、
マッピング方式に基づいて、各データチャネルの最低スロット表示、開始スロット表示、および最高スロット表示を符号値にマップすることをさらに含む請求項１１記載の方法。
【請求項１３】
複数のスロットが複数のスロット表示を割り当てられ、複数のデータチャネルの各々の位置情報を判断することが、
データチャネルに使用される最低スロット表示および最高スロット表示を示すための、各データチャネルの位置情報を生成することをさらに含む請求項１０記載の方法。
【請求項１４】
複数のデータチャネルの各々の位置情報を判断することが、
現在のスーパーフレーム内のデータチャネル上で送られている各データパケットの長さを示すための、現在のスーパーフレームの各データチャネルの位置情報を生成することをさらに含む請求項５記載の方法。
【請求項１５】
オーバーヘッド情報を生成することが、
オーバーヘッド情報の第１の部分を、第１の受信可能領域についてのデータチャネルの位置情報を用いて生成することと、
オーバーヘッド情報の第２の部分を、第２の受信可能領域についてのデータチャネルの位置情報を用いて生成することとを含む請求項１記載の方法。
【請求項１６】
第１の受信可能領域が、広域の受信可能領域であり、第２の受信可能領域が、局所の受信可能領域である請求項１５記載の方法。
【請求項１７】
オーバーヘッド情報を伝送することが、
第１および第２の時間間隔において、オーバーヘッド情報の第１および第２の部分をそれぞれ伝送することを含む請求項１５記載の方法。
【請求項１８】
第１のモードにしたがってオーバーヘッド情報の第１の部分を処理することと、
第２のモードにしたがってオーバーヘッド情報の第２の部分を処理することとをさらに含み、第１および第２のモードの各々が、オーバーヘッド情報に使用する特定の符号レートおよび特定の変調方式を示している請求項１５記載の方法。
【請求項１９】
複数のデータチャネルのオーバーヘッド情報の少なくとも１つのオーバーヘッドメッセージを形成することであって、各オーバーヘッドメッセージが、少なくとも１つの位置レコードを含み、各位置レコードが、関係付けられたデータチャネルの位置情報を含んでいることをさらに含む請求項１記載の方法。
【請求項２０】
複数のデータチャネルが異なる識別子を割り当てられ、少なくとも１つのオーバーヘッドメッセージを形成することが、
少なくとも１つの関係付けられたデータチャネルの識別子に基づく連続する順番で、各オーバーヘッドメッセージの少なくとも1つの位置レコードを配置することを含む請求項１９記載の方法。
【請求項２１】
各位置レコードが固定長をもつ請求項１９記載の方法。
【請求項２２】
将来のスーパーフレームの各データチャネルの位置情報を判断することであって、将来のスーパーフレームの各データチャネルの位置情報が、データチャネルが将来のスーパーフレームにおいて伝送される時間位置、周波数位置、または時間および周波数の両者の位置を示していることと、
将来のスーパーフレームの各データチャネルの位置情報を、現在のスーパーフレーム内のデータチャネルのデータと共に伝送することとをさらに含む請求項５記載の方法。
【請求項２３】
複数のデータチャネルの各々の位置情報を判断し、オーバーヘッド情報を複数のデータチャネルの位置情報を用いて生成するように動作可能な制御装置であって、各データチャネルの位置情報が、データチャネルが伝送される時間位置、周波数位置、または時間および周波数の両者の位置を示している制御装置と、
時分割多重化（ＴＤＭ）方式で複数のデータチャネルのデータと共に伝送されるオーバーヘッド情報を処理するように動作可能なデータプロセッサとを含む通信システムにおける装置。
【請求項２４】
各スーパーフレームが所定の時間の継続期間をもつスーパーフレームにおいて複数のデータチャネルを伝送し、さらに加えて、各スーパーフレームにおいてオーバーヘッド情報を伝送するように動作可能な送信機ユニットをさらに含む請求項２３記載の装置。
【請求項２５】
制御装置が、将来のスーパーフレームの各データチャネルの位置情報を判断するようにも動作可能であり、将来のスーパーフレームの各データチャネルの位置情報が、データチャネルが将来のスーパーフレームにおいて伝送される時間位置、周波数位置、または時間および周波数の両者の位置を示し、データプロセッサが、現在のスーパーフレーム内のデータチャネルのデータと共に伝送するための、将来のスーパーフレームの各データチャネルの位置情報を処理するようにも動作可能である請求項２４記載の装置。
【請求項２６】
通信システムが、直交周波数分割多重化(orthogonal frequency division multiplexing, OFDM)を使用する無線同報通信システムである請求項２３記載の方法。
【請求項２７】
複数のデータチャネルの各々の位置情報を判断する手段であって、各データチャネルの位置情報が、データチャネルが伝送される時間位置、周波数位置、または時間および周波数の両者の位置を示している手段と、
オーバーヘッド情報を複数のデータチャネルの位置情報を用いて生成する手段と、
オーバーヘッド情報を時分割多重化（ＴＤＭ）方式で複数のデータチャネルのデータと共に伝送する手段とを含む通信システムにおける装置。
【請求項２８】
スーパーフレームにおいて複数のデータチャネルを伝送する手段であって、各スーパーフレームが所定の時間の継続期間をもち、オーバーヘッド情報が各スーパーフレームにおいて伝送される手段をさらに含む請求項２７記載の装置。
【請求項２９】
将来のスーパーフレームの各データチャネルの位置情報を判断する手段であって、将来のスーパーフレームの各データチャネルの位置情報が、データチャネルが将来のスーパーフレームにおいて伝送される時間位置、周波数位置、または時間および周波数の両者の位置を示している手段と、
将来のスーパーフレームの各データチャネルの位置情報を、現在のスーパーフレーム内のデータチャネルのデータと共に伝送する手段とをさらに含む請求項２８記載の装置。
【請求項３０】
通信システムにおいてオーバーヘッド情報を伝送する方法であって、
スーパーフレームにおいて複数のデータチャネルを伝送することであって、各スーパーフレームが所定の時間の継続期間をもち、各データチャネルが少なくとも１本のデータストリームを保持していることと、
複数のデータチャネルの各々の位置情報を判断することであって、各データチャネルの位置情報が、データチャネルが将来のスーパーフレームにおいて伝送される時間位置、周波数位置、または時間および周波数の両者の位置を示していることと、
各データチャネルの位置情報を、現在のスーパーフレーム内のデータチャネルのデータと共に伝送することとを含む方法。
【請求項３１】
将来のスーパーフレームが、現在のスーパーフレームに直ぐ後に続く次のスーパーフレームである請求項３０記載の方法。
【請求項３２】
将来のスーパーフレームが、現在のスーパーフレームから２つ以上のスーパーフレームである請求項３０記載の方法。
【請求項３３】
複数のデータチャネルの各々の位置情報を判断することが、
データチャネルが将来のスーパーフレームにおいて伝送されるかどうか示すための、各データチャネルの位置情報を生成することを含む請求項３０記載の方法。
【請求項３４】
複数のデータチャネルの各々の位置情報を判断することが、
将来のスーパーフレームにおいて伝送される各データチャネルのために、データチャネルが将来のスーパーフレームにおいて伝送される開始時間を示すための、データチャネルの位置情報を生成することを含む請求項３０記載の方法。
【請求項３５】
複数のデータチャネルの各々の位置情報を判断することが、
将来のスーパーフレームにおいて伝送されない各データチャネルのために、データチャネルが潜在的に伝送される次の最も近いスーパーフレームを示すための、データチャネルの位置情報を生成することを含む請求項３０記載の方法。
【請求項３６】
複数のデータチャネルを伝送することが、
複数のスロットにおいて複数のデータチャネルを伝送することであって、各スロットが、周波数サブバンドの特定の組と関係付けられていることを含む請求項３０記載の方法。
【請求項３７】
複数のスロットが複数のスロット表示を割り当てられ、複数のデータチャネルの各々の位置情報を判断することが、
将来のスーパーフレームにおいて伝送される各データチャネルのために、将来のスーパーフレーム内のデータチャネルに使用される最低スロット表示、開始スロット表示、および最高スロット表示を示すための、データチャネルの位置情報を生成することを含む請求項３６記載の方法。
【請求項３８】
複数のデータチャネルの各々の位置情報を判断することが、
将来のスーパーフレームにおいて伝送される各データチャネルのために、将来のスーパーフレーム内のデータチャネル上で送られる各データパケットの長さを示すための、データチャネルの位置情報を生成することをさらに含む請求項３０記載の方法。
【請求項３９】
スーパーフレームにおいて複数のデータチャネルを伝送するように動作可能な送信機ユニットであって、各スーパーフレームが所定の時間の継続期間をもち、各データチャネルが少なくとも１本のデータストリームを保持している送信機ユニットと、
複数のデータチャネルの各々の位置情報を判断するように動作可能な制御装置であって、各データチャネルの位置情報が、データチャネルが将来のスーパーフレームにおいて伝送される時間位置、周波数位置、または時間および周波数の両者の位置を示す制御装置と、
現在のスーパーフレーム内のデータチャネルのデータと共に伝送される各データチャネルの位置情報を処理するように動作可能なデータプロセッサとを含む通信システムにおける装置。
【請求項４０】
スーパーフレームにおいて複数のデータチャネルを伝送する手段であって、各スーパーフレームが所定の時間の継続期間をもち、各データチャネルが少なくとも１本のデータストリームを保持している手段と、
複数のデータチャネルの各々の位置情報を判断する手段であって、各データチャネルの位置情報が、データチャネルが将来のスーパーフレームにおいて伝送される時間位置、周波数位置、または時間および周波数の両者の位置を示す手段と、
各データチャネルの位置情報を、現在のスーパーフレーム内のデータチャネルのデータと共に伝送する手段とを含む通信システムにおける装置。
【請求項４１】
通信システムにおいてデータを受信する方法であって、
スーパーフレームにおいて伝送される複数のデータチャネルのオーバーヘッド情報を受信することであって、各スーパーフレームが所定の時間の継続期間をもち、現在のスーパーフレームのオーバーヘッド情報が、時分割多重化（ＴＤＭ）方式で、複数のデータチャネルのための現在のスーパーフレームにおいて送られるデータと共に伝送されることと、
現在のスーパーフレームにおいて受信されるオーバーヘッド情報から、選択されたデータチャネルの第１の位置情報を得ることであって、第１の位置情報が、選択されたデータチャネルが現在のスーパーフレームにおいて伝送されている時間位置、周波数位置、または時間および周波数の両者の位置を示していることと、
第１の位置情報に基づいて、選択されたデータチャネルを現在のスーパーフレームにおいて受信することとを含む方法。
【請求項４２】
選択されたデータチャネルを処理して、選択されたデータチャネルの第２の位置情報を得ることであって、第２の位置情報が、選択されたデータチャネルのデータと共に現在のスーパーフレームにおいて伝送され、選択されたデータチャネルが将来のスーパーフレームにおいて伝送される時間位置、周波数位置、または時間および周波数の両者の位置を示していることと、
第２の位置情報に基づいて、選択されたデータチャネルを将来のスーパーフレームにおいて受信することとをさらに含む請求項４１記載の方法。
【請求項４３】
スーパーフレームにおいて伝送される複数のデータチャネルのオーバーヘッド情報を受信し、現在のスーパーフレームにおいて受信されるオーバーヘッド情報から、選択されたデータチャネルの第１の位置情報を得るように動作可能な制御装置であって、各スーパーフレームが所定の時間の継続期間をもち、現在のスーパーフレームのオーバーヘッド情報が、時分割多重化(ＴＤＭ)方式で、複数のデータチャネルのための現在のスーパーフレームにおいて送られるデータと共に伝送され、第1の位置情報が、選択されたデータチャネルが現在のスーパーフレームにおいて伝送される時間位置、周波数位置、または時間および周波数の両者の位置を示している制御装置と、
第１の位置情報に基づいて、選択されたデータチャネルを現在のスーパーフレームにおいて受信するように動作可能なデータプロセッサとを含む通信システムにおける装置。
【請求項４４】
データプロセッサが、選択されたデータチャネルを処理して、選択されたデータチャネルの第２の位置情報を得るようにも動作可能であり、第２の位置情報が、選択されたデータチャネルのデータと共に現在のスーパーフレームにおいて伝送され、選択されたデータチャネルが将来のスーパーフレームにおいて伝送される時間位置、周波数位置、または時間および周波数の両者の位置を示し、データプロセッサが、第２の位置情報に基づいて、選択されたデータチャネルを将来のスーパーフレームにおいて受信するようにも動作可能である請求項４３記載の装置。
【請求項４５】
スーパーフレームにおいて伝送される複数のデータチャネルのオーバーヘッド情報を受信する手段であって、各スーパーフレームが、所定の時間の継続期間をもち、現在のスーパーフレームのオーバーヘッド情報が、時分割多重化（ＴＤＭ）方式で、複数のデータチャネルのための現在のスーパーフレームにおいて送られるデータと共に伝送される手段と、
現在のスーパーフレームにおいて受信されるオーバーヘッド情報から、選択されたデータチャネルの第１の位置情報を得る手段であって、第１の位置情報が、選択されたデータチャネルが現在のスーパーフレームにおいて伝送されている時間位置、周波数位置、または時間および周波数の両者の位置を示している手段と、
第１の位置情報に基づいて、選択されたデータチャネルを現在のスーパーフレームにおいて受信する手段とを含む通信システムにおける装置。
【請求項４６】
選択されたデータチャネルを処理して、選択されたデータチャネルの第２の位置情報を得る手段であって、第２の位置情報が、選択されたデータチャネルのデータと共に現在のスーパーフレームにおいて伝送され、選択されたデータチャネルが将来のスーパーフレームにおいて伝送される時間位置、周波数位置、または時間および周波数の両者の位置を示している手段と、
第２の位置情報に基づいて、選択されたデータチャネルを将来のスーパーフレームにおいて受信する手段とをさらに含む請求項４５記載の装置。
【発明の詳細な説明】
【技術分野】
【０００１】
本出願は、２００３年１０月２４日に出願された仮米国出願第６０／５１４，３２０号（“Method for Adding Overhead Information to Receive Multiple Multimedia Streams over Mobile Wireless Radio Links”）、２００４年９月１日に出願された米国出願第１０／９３２，５８６号（“Method for Adding Overhead Information to Receive Multiple Multimedia Streams over Mobile Wireless Radio Links”）、および２００４年４月５日に出願された仮米国出願第６０／５５９，７４０号（“Multiplexing and Transmission of Multiple Data Streams in a Wireless Multi-Carrier Communication System”）の恩恵を主張しており、これらは、本明細書において参照によって全体的に取り入れられている。
【０００２】
分野
本発明は、概ね、通信、より具体的には、通信システムにおいて多数のデータストリームを受信するためにオーバーヘッド情報を伝送する技術に関する。
【背景技術】
【０００３】
無線通信システムにおける基地局は、同報通信、マルチキャスト、および／またはユニキャストサービスのための多数のデータストリームを同時に伝送し得る。同報通信伝送は、指定受信可能領域内の全無線デバイスへ送られ、マルチキャスト伝送は、無線デバイスのグループへ送られ、ユニキャスト伝送は、特定の無線デバイスへ送られる。例えば、基地局は、マルチメディア(例えば、テレビジョン)プログラムのための多数のデータストリームを、無線デバイスによる受信のために、地上無線リンクを介して同報通信し得る。一般に、基地局は、任意の数のデータストリームを伝送し、これは時間にしたがって変化し得るものであり、各データストリームは、固定または可変のデータレートをもち得る。
【０００４】
基地局の受信可能領域内の無線デバイスは、基地局によって伝送された多数のデータストリーム中の１本または数本のみの特定のデータストリームを受信することに関心をもち得る。基地局が、全データストリームを、伝送前に１本の複合ストリームに多重化するとき、無線デバイスは、基地局によって伝送された信号を受信し、受信信号を処理し(例えば、ダウンコンバート、復調、および復号)、基地局によって送られた複合ストリームを得て、デマルチプレクシングを行ない、関心のある１本または数本の特定のデータストリームを抽出する必要があり得る。このタイプの処理は、常に電源がオンにされていることを意図された受信機ユニットにとっては問題でないであろう。しかしながら、多くの無線デバイスは、ポータブルであり、内蔵バッテリによって電力を与えられている。受信信号を連続的に復調および復号し、関心のある１本または数本のみのデータストリームを復元すると、相当な量のバッテリ電力を消費し、これは、無線デバイスの“オン”時間を非常に短くし得る。
【０００５】
多数のデータストリームが個別に伝送されるとき、基地局は、専用制御チャネル上で制御情報も伝送し、各データストリームが、いつ、どこで伝送されることになるかを示し得る。この場合に、無線デバイスは、専用制御チャネルを連続的に復号し、関心のある各データストリームの制御情報を得る必要があり、これは、バッテリ電力を枯渇させ得る。無線デバイスは、関心のある各データストリームを、専用制御チャネルと共に同時に復号することも必要である、これは、無線デバイスの複雑さを増加させ得る。
【発明の概要】
【０００６】
したがって、無線デバイスにとって関心のある個々のデータストリームが、低減された電力消費量で効率的に受信され得るように、オーバーヘッド情報を送る技法が、当技術において必要とされている。
【０００７】
オーバーヘッド情報を伝送して、個々のデータストリームの効率的な受信を容易にする技術が、本明細書に記載されている。基地局は、多数のデータストリームを多数のデータチャネル上で伝送し得る。データチャネルは、後述において、多重化された論理チャネル(multiplexed logical channel, MLC)とも呼ばれるが、何か他の用語によっても呼ばれ得る。各ＭＬＣは、１本以上のデータストリームを保持し、異なる時間に、異なる周波数サブバンド上で、等で伝送され得る。各ＭＬＣの時間−周波数の位置は、時間にしたがって変化し得る。オーバーヘッド情報は、各ＭＬＣが伝送される時間−周波数の位置を示す。全ＭＬＣのオーバーヘッド情報は、“複合”オーバーヘッド情報および“埋め込まれた”オーバーヘッド情報と呼ばれる２つの部分において送られ得る。
【０００８】
実施形態において、複合オーバーヘッド情報は、別途記載されるように、全ＭＬＣの位置情報を含み、所定の時間の継続期間の各スーパーフレームの始めに定期的に送られる。各スーパーフレームの複合オーバーヘッド情報は、そのスーパーフレームの各ＭＬＣの位置情報を含み、この位置情報は、ＭＬＣがスーパーフレームにおいて伝送される時間−周波数の位置を示す。無線デバイスは、現在のスーパーフレームの複合オーバーヘッド情報を受信し、ＭＬＣの位置情報に基づいて、関心のある各ＭＬＣの時間−周波数の位置を判断し、現在のスーパーフレーム内の関心のある個々のＭＬＣを、示された時間−周波数の位置において受信し得る。複合オーバーヘッド情報の定期的な既知の伝送は、システム内の無線デバイスが、関心のある各ＭＬＣを迅速に獲得し、各希望のＭＬＣを最短の“オン”時間で復号し、ＭＬＣ間で素早く切り換わることを可能にする。
【０００９】
複合オーバーヘッド情報は、ワイドエリア部分（wide-area portion）とローカルエリア部分(local-area portion)とに分割され得る。ワイドエリア部分は、広域(wide)の受信可能領域(例えば、全国)についての全ＭＬＣの位置情報を含み得る。ローカルエリア部分は、局所（local）の受信可能領域(例えば、市全域)についての全ＭＬＣの位置情報を含み得る。ワイドエリア部分とローカルエリア部分とは、ロバストな受信性能のために、基地局および無線デバイスの両者によって別々に処理され得る。
【００１０】
実施形態において、各スーパーフレーム内の各ＭＬＣのための埋め込まれたオーバーヘッド情報は、将来(例えば、次)のスーパーフレームのそのＭＬＣの位置情報を含み、現在のスーパーフレーム内のＭＬＣのペイロードと共に伝送される。所与のＭＬＣを受信する無線デバイスは、そのＭＬＣのための埋め込まれたオーバーヘッド情報を、現在のスーパーフレーム内のＭＬＣに対する処理の一部として得ることができる。したがって、無線デバイスは、この情報を使用して、次のスーパーフレーム内のＭＬＣを、“起動（wake-up）”する必要なく受信し、次のスーパーフレームにおいて送られる複合オーバーヘッド情報を受信し得る。
【図面の簡単な説明】
【００１１】
【図１】無線マルチキャリア同報通信システムを示す図。
【図２】例示的なスーパーフレーム構造を示す図。
【図３】１つのＭＬＣの例示的なパケット処理を示す図。
【図４】“ジグザグ”パターンを使用するＭＬＣへのスロットの割り当てを示す図。
【図５】多数のＭＬＣの位置情報を保持している例示的なメッセージを示す図。
【図６】複合オーバーヘッド情報およびで埋め込まれたオーバーヘッド情報の伝送を示す図。
【図７】オーバーヘッド情報を伝送する処理を示す図。
【図８】基地局のブロック図。
【図９】無線デバイスのブロック図。
【発明を実施するための形態】
【００１２】
本発明の種々の態様および実施形態は、さらに詳しく別途記載される。
【００１３】
本発明の特徴および性質は、別途記載される詳細な説明から、同じ参照符号が全体的に対応して同定している図面と共に採用されるとき、より明らかになるであろう。
【００１４】
“例示的”という用語は、本明細書において“例、事例、または実例としての役割を果たす”ことを意味するために使用されている。本明細書に“例示的”として記載されている何れの実施形態も、他の実施形態または設計よりも、好ましいまたは好都合であると、必ずしも解釈されると限らない。
【００１５】
オーバーヘッド情報を伝送するための本明細書に記載されている技術は、無線およびワイヤーライン通信システム、時分割多重化（time division multiplexed, TDM）システム、周波数分割多重化（frequency division multiplexed, FDM）システム、符号分割多重化（code division multiplexed, CDM）システム、単一入力単一出力(single-input single-output, SISO)システム、多数入力多数出力（multiple-input multiple-output ,MIMO）システム、シングルキャリアおよびマルチキャリア（single-carrier and multi-carrier）システム、等のために使用され得る。多数の搬送波は、直交周波数分割多重化(orthogonal frequency division multiplexing, OFDM)、何か他のマルチキャリア変調技術、または何か他の構成によって与えられ得る。ＯＦＤＭは、システムの帯域幅全体を、多数（Ｎ）の直交するサブバンドへ効率的に分割する。これらのサブバンドは、トーン、搬送波、副搬送波、ビン、および周波数チャネルとも呼ばれる。ＯＦＤＭを用いて、各サブバンドは、データで変調され得る各副搬送波と関係付けられる。本明細書に記載されている技術は、同報通信、マルチキャスト、およびユニキャストサービスにも使用され得る。分かり易くするために、これらの技術は、以下では、例示的な無線マルチキャリア同報通信システムについて記載される。
【００１６】
図１は、無線マルチキャリア同報通信システム100を示している。システム100は、システム全体に分散された多数の基地局110を含んでいる。基地局は、一般に、固定局であり、アクセスポイント、送信機、または何か他の用語でも呼ばれ得る。無線デバイス120は、システムの受信可能領域全体に位置する。無線デバイスは、固定形または移動形であり、ユーザ端末、移動局、ユーザ装置、または何か他の用語でも呼ばれ得る。無線デバイスは、セルラ電話、ハンドヘルドデバイス、無線モジュール、パーソナルディジタルアシスタント（personal digital assistant, PDA）、等のような、ポータブルユニットでもあり得る。
【００１７】
各基地局は、ワイドエリアコンテンツ、ローカルエリアコンテンツ、または両者の組合せを伝送し得る。ワイドエリアコンテンツは、大きい受信可能領域(例えば、全国)にわたって送られるコンテンツであり、ローカルエリアコンテンツは、より小さい受信可能領域(例えば、市全域)にわたって送られる。隣り合う基地局は、同じまたは異なるコンテンツを伝送し得る。また、各基地局は、ワイドエリアコンテンツまたはローカルエリアコンテンツ、あるいはこの両者のための多数のデータストリームを伝送し得る。これらのデータストリームは、ビデオ、オーディオ、テレテキスト、データ、ビデオ/オーディオクリップ、等のような、マルチメディアコンテンツを保持し得る。データストリームは、データチャネルまたはＭＬＣ上で送られる。
【００１８】
別途詳しく記載される特定の実施形態では、各ＭＬＣは、３本までのデータストリーム、例えば、シグナリングのための１本のデータストリーム、およびパケット／トラヒックデータのための２本までのデータストリームを保持し得る。各マルチメディアプログラムは、１本以上のデータストリーム、例えば、ビデオ、オーディオ、データ、等のような、異なるマルチメディアコンテンツのための異なるデータストリームとして送られ得る。各マルチメディアプログラムのための１本以上のデータストリームは、１本以上のＭＬＣ上で送られ得る。例えば、１本のＭＬＣは、所与のプログラムのために、２本のデータストリーム、すなわち、リアルタイムコンテンツのための１本のデータストリームと、指定された時間にリアルタイムコンテンツと共に再生されるビデオクリップのための別のデータストリームとを保持し得る。別の例として、２本のＭＬＣは、単一のマルチメディア(例えば、テレビジョン)プログラムのために、３本のデータストリームを保持し得る。すなわち、１本のＭＬＣは、ビデオのための１本のデータストリームと、データのための別のデータストリームとを保持し、第２のＭＬＣは、オーディオのための１本のデータストリームを保持し得る。プログラムのビデオ部分とオーディオ部分とを別々のＭＬＣ上で伝送すると、無線デバイスはビデオとオーディオとを個別に受信することができる。一般に、各ＭＬＣは、任意の数のデータストリームを保持し、各マルチメディアプログラムは、任意の数のデータストリームにおいて、任意の数のＭＬＣ上で送られ得る。
【００１９】
図２は、システム100に使用され得る例示的なスーパーフレーム構造を示している。データ伝送は、スーパーフレーム210の単位で行われる。各スーパーフレームは、所定の時間の継続期間にまたがり、所定の時間の継続期間は、例えば、データストリームのための希望の統計的多重化、データストリームにとって望ましい時間ダイバーシティ量、データストリームの獲得時間、無線デバイスの緩衝要件、等のような、種々の要素に基づいて選択され得る。約１秒のスーパーフレームのサイズが、上述の種々の要素間に好適な折り合いを与え得る。しかしながら、他のスーパーフレームのサイズも使用され得る。スーパーフレームは、フレーム、タイムスロット、または何か他の用語でも呼ばれ得る。
【００２０】
図２に示されている実施形態において、各スーパーフレームは、ＴＤＭパイロットのためのフィールド212、オーバーヘッド情報のためのフィールド214、および４つの同サイズのフレーム216aないし216dを含んでいる。ＴＤＭパイロットは、無線デバイスによって、同期化(例えば、フレーム検出、周波数誤差推定、タイミングの獲得、等)のため、および恐らくはチャネル推定のために使用され得る。オーバーヘッド情報は、スーパーフレーム内の各データチャネルの特定の位置を示し、別途記載されるように送られ得る。データストリームは、多重化され、４つのフレームにおいて送られる。
【００２１】
図２は、特定のスーパーフレーム構造を示している。一般に、スーパーフレームは、任意の時間の継続期間にまたがり、任意の数および任意のタイプのフィールドを含み、任意の数のフレームをもち得る。システムは、伝送のために他のフレーム構造も使用し得る。
【００２２】
実施形態において、システムのプロトコルスタックは、上位層を含み、これは、ストリーム層の上に存在し、ストリーム層は、媒体アクセス制御(medium access control, MAC)層の上に存在し、さらに、ＭＡＣ層は、物理層の上に存在する。上位層は、マルチメディアコンテンツの伝送の制御、コンテンツへのアクセス、等を行なう。ストリーム層は、上位層のパケットを、ＭＬＣごとに、データストリームに結び付ける。ＭＡＣ層は、各ＭＬＣと関係付けられた異なるデータストリームのパケットの多重化を行なう。物理層は、多数のデータストリームを通信チャネルによって伝送する機構を与える。
【００２３】
図３は、ストリーム層、ＭＡＣ層、および物理層に使用されるパケットフォーマットの実施形態を示している。図３は、１つのスーパーフレーム内の１本のＭＬＣの処理も示している。ＭＬＣは、３本までのデータストリームを保持し得る。それらは、ストリーム０、１、および２として示されている。ストリーム０は、ＭＬＣのシグナリングを送るのに使用され、ストリーム１および２は、異なるマルチメディアコンテンツ(例えば、ビデオ、オーディオ、データキャスト、マルチキャスト、等)を送るのに使用され得る。シグナリングは、例えば、ＭＬＣ上で送られる他のデータストリームを解読するのに使用される解読キーのような、種々の要素のものであり得る。(解読キーは、サービスをアクティブにするときに得られ得る適切な加入キーをもつ無線デバイスによって解読されることができる)。他のタイプのシグナリングも、ストリーム０上で送られ得る。例えば、ストリーム０は、ＭＬＣによって保持される媒体の特性、次のスーパーフレーム内の同じＭＬＣの位置、テキストの構成要素および／または媒体、等を定義する提示レコードを保持し得る。一般に、各ストリームは、２つ以上の媒体を保持し得るが、各ストリーム内に１つの媒体のタイプを保持することがより好都合であり得る。各スーパーフレームにおいて、ストリーム層は、そのスーパーフレーム内のＭＬＣ上で送られる各データストリームに、１つのストリーム層パケットを与える。分かり易くするために、次の記載では、３本のデータストリームがＭＬＣ上で送られていると仮定する。
【００２４】
ＭＡＣ層は、ＭＬＣを伝送する各スーパーフレームのＭＬＣのＭＡＣカプセルを形成する。ＭＡＣカプセルは、ＭＡＣカプセルヘッダおよびＭＡＣカプセルペイロードを含んでいる。ＭＡＣカプセルヘッダは、ＭＬＣの埋め込まれたオーバーヘッド情報を保持し、これは、将来(例えば、次)のスーパーフレーム内のＭＬＣを受信するのに使用され得る。ＭＡＣカプセルペイロードは、ＭＬＣによって保持されているデータストリームのための、現在のスーパーフレームにおいて送られるストリーム層パケットを保持している。ＭＡＣ層は、ＭＡＣカプセルヘッダおよびストリーム０のパケットのためのＮ０個のＭＡＣ層パケット(または、単に、ＭＡＣパケット)、ストリーム１のパケットのためのＮ１個のＭＡＣパケット、およびストリーム２のパケットのためのＮ２個のＭＡＣパケットを形成している。なお、全３本のデータストリームが送られるとき、Ｎ０≧１、Ｎ１≧１、およびＮ２≧１である。データストリームの個別の受信を容易にするために、各ストリーム層パケットは、整数個のＭＡＣパケットにおいて送られ、各ストリーム層パケットの長さは、オーバーヘッド情報に含まれている。ＭＡＣ層は、ＭＬＣの（Ｎ０＋Ｎ１＋Ｎ２）個のＭＡＣパケットに対してブロック符号化も行ない、ＮＰ個（なお、ＮＰ≧０）のパリティＭＡＣパケットを生成し、ブロック符号化が可能にされるかどうかに依存し、可能にされるときは、ＭＬＣのために、ブロック符号化モードが選択される。ＭＬＣが伝送される各スーパーフレームにおいて、ＭＡＣ層は、（Ｎ０＋Ｎ１＋Ｎ２＋ＮＰ）個のデータおよびパリティのＭＡＣパケットを含む符号化されたＭＡＣカプセルを与える。
【００２５】
物理層は、符号化されたＭＡＣカプセルを受信し、各ＭＡＣパケットを処理し(例えば、符号化、インターリーブ、またはシンボルマップ)、対応する物理層(physical layer, PL)パケットを生成する。実施形態において、ＭＡＣパケットは、固定のサイズ(例えば、約１キロバイト)をもち、ＭＬＣのＰＬパケットは、等しいサイズをもち、ＰＬパケットのサイズは、ＭＬＣに使用される符号レートおよび変調方式によって判断される。ＭＡＣパケットとＰＬパケットとの間の１対１のマッピングは、基地局および無線デバイスにおける処理を単純化する。
【００２６】
データは、システム100において種々のやり方で伝送され得る。実施形態では、Ｍ個のスロットが、各シンボル期間において形成され、接合していない、またはオーバーラップしていないＭ組（なお、Ｍ≧１）のサブバンドにマップされる。周波数ダイバーシティを得るために、各組内のサブバンドは、システムにおけるＮ本の全サブバンドにおいて均一に分散され得る。次に、各組内のサブバンドは、他のＭ−１組の各々におけるサブバンドとインターレースされる。したがって、各サブバンドの組は、“インターレース”と呼ばれ得る。各スロットは、（例えば、所定のマッピング方式に基づいて）異なるシンボル期間において異なるインターレースにマップされ、周波数ダイバーシティを向上し、他の恩恵を得ることができる。分かり易くするために、次に、スロットにおけるデータ伝送について記載し、スロット対インターレースのマッピングは記載しない。
【００２７】
所与のスーパーフレーム構造では、各スーパーフレームにおいて一定数のスロットが伝送に使用可能である。使用可能なスロットのいくつかは、ＦＤＭパイロットを伝送するのに使用され、これは、無線デバイスによって、チャネル推定および他の目的に使用され得る。また、いくつかのスロットは、別途記載されるように、ＭＬＣのシグナリングを伝送するのに使用される制御チャネルに割り振られ得る。さらに、残りのスロットは、ＭＬＣへの割り振りに使用可能である。
【００２８】
各ＭＬＣは、ＭＬＣのペイロード、スーパーフレームにおけるスロットの使用可能性、および恐らくは、他の要因に依存して、各スーパーフレーム内の固定数または可変数のスロットに割り振られ得る。各“イナクティブな”ＭＬＣは、所与のスーパーフレーム内で伝送されないＭＬＣであり、０スロットを割り振られる。各“アクティブな”ＭＬＣは、所与のスーパーフレーム内で伝送されるＭＬＣであり、少なくとも１スロットを割り振られる。各アクティブなＭＬＣは、（１）全てのアクティブなＭＬＣのためのスロットを可能な限り効率的にパックし、（２）各ＭＬＣの伝送時間を低減し、（３）各ＭＬＣに適切な時間ダイバーシティを与え、（４）各ＭＬＣに割り当てられたスロットを示すのに必要とされるシグナリング量を最小化することを試みる割り当て方式に基づいて、スーパーフレーム内の特定のスロットを“割り当てられる”。スロットをＭＬＣに割り当てるのに、種々の方式が使用され得る。一般に、時間ダイバーシティと電力の節約との間で折り合いがとられる。システムは、異なるＭＬＣのために、時間ダイバーシティにおいて電力消費量が支持されることを可能にするか、または電力消費量において時間ダイバーシティが支持されることを可能にする融通性を与え得る。例えば、いくつかのＭＬＣが、時間ダイバーシティにおいて最適化され得る一方で、他のＭＬＣは、電力消費量において最適化され得る。多くのターボコードブロックを含んでいるＭＬＣが、本質的により大きな時間ダイバーシティを達成する一方で、より低いデータレートのＭＬＣは、追加の時間ダイバーシティから恩恵を得ることができる。
【００２９】
図４は、“シヌソイド”または“ジグザグ”パターンを使用して、スロットをＭＬＣに割り当てる例示的なスロット割り当て方式を示している。この方式において、フレームは１本以上の“ストリップ”に分割され、各ストリップは、少なくとも１つのスロット表示にまたがり、さらに加えて、そのフレームにおける連続する多数の（例えば、全）シンボル期間にまたがる。各アクティブなＭＬＣは、１本のストリップにマップされ、そのストリップ内のスロットを割り当てられる。各ストリップ内のスロットは、垂直のジグザグパターンを使用して、特定の順番で、そのストリップにマップされたＭＬＣを割り当てられる。このジグザグパターンは、スロットを、そのストリップの第１のシンボル期間から開始して、一度に１シンボル期間ずつ、そのストリップの最低スロット表示から、そのストリップの最高スロット表示へ選択する。
【００３０】
図４は、１つのフレーム216における所与のＭＬＣ ｘへのスロットの割り当ても示している。ＭＬＣ ｘは、指示されているシンボル期間表示(開始オフセット)における開始スロット表示(開始スロット)から始まって、最高スロット表示(最大スロット)へ進み、次に、次のシンボル期間表示における最低スロット表示(最小スロット)から始まって、最高スロット表示へ進む、等で、ＭＬＣ ｘに割り振られたスロット数に達するまで、スロットを割り当てられる。図４に示されている例において、ＭＬＣ ｘは、１６スロットを割り当てられ、シンボル期間表示３におけるスロット表示４から始まって、最低スロット表示２から最高スロット表示５の間をジグザグに進み、シンボル期間表示７におけるスロット表示３で終了する。
【００３１】
例示的なスロット割り当て方式は、既に記載した。ＭＬＣは、他の方式を使用して、他のやり方でも、スロットを割り当てられ得る。例えば、各ＭＬＣは、図４に示されているように、スロット対シンボル期間の二次元(two-dimensional, 2-D)の平面上で長方形のパターンのスロットを割り当てられ得る。アクティブなＭＬＣは、長方形のパターンを割り当てられ、これらのパターンは、可能な限り効率的にフレームにパックされる。
【００３２】
各スーパーフレームの各アクティブなＭＬＣに割り当てられたスロットは、ＭＬＣのために送られる位置情報において伝えられ得る。各アクティブなＭＬＣに割り当てられたスロットを記載するのに使用されるパラメータは、通常、スロットを割り当てるのに使用される方式に依存する。例えば、各アクティブなＭＬＣが、長方形のパターンを割り当てられると、このパターンは、２つの角部、例えば、パターンの左下角部のスロット表示およびシンボル期間表示と、パターンの右上角部のスロット表示およびシンボル期間表示とによって記載され得る。各アクティブなＭＬＣが、ジグザグパターンを使用して、スロットを割り当てられると、ＭＬＣの割り当てられたスロットは、図４に示されているように、開始スロット、最小スロット、最大スロット、およびＭＬＣに割り振られたスロット数によって記載され得る。
【００３３】
図５は、ＭＬＣの位置情報を保持するのに使用されるシステムパラメータメッセージの実施形態を示している。一般に、各ＭＬＣの位置情報は、ＭＬＣの時間−周波数の位置を記載するのに使用される全パラメータ、例えば、ＭＬＣに割り当てられた特定のスロットを含んでいる。図５に示されている実施形態において、システムパラメータメッセージは、メッセージヘッダおよび１つ以上の位置レコードを含んでいる。メッセージヘッダは、例えば、（１）現在のスーパーフレームの始めのシステム時間、（２）ネットワーク識別子、（３）メッセージ源、（４）システムによって支援されるプロトコルバージョン、（５）制御チャネルの伝送パラメータ（別途記載される）、（６）ヘッダの直後にメッセージ内で送られる最初の位置レコードのＭＬＣ、（７）メッセージ内で送られる位置レコードの数（Ｎｒｅｃ）、等のような、情報を保持し得る。一般に、メッセージヘッダは、無線デバイスの関連情報を含み得る。
【００３４】
メッセージは、メッセージヘッダの後に、各ＭＬＣに対して１つの位置レコードずつ、Ｎｒｅｃ本のＭＬＣのためのＮｒｅｃ個の位置レコードを保持している。なお、Ｎｒｅｃ≧１である。実施形態では、各位置レコードは、Ｌビットの固定長またはサイズをもち、Ｎｒｅｃ個の位置レコードは、ＭＬＣの識別子(identification, ID)に基づいて順次に送られる。例えば、第１の位置レコードが、ＭＬＣ ｘのものであるとき、第２の位置レコードは、ＭＬＣ ｘ＋１のものであり、第３の位置レコードは、ＭＬＣ ｘ＋２のもの、等であり、最後の位置レコードは、ＭＬＣ ｘ＋Ｎｒｅｃ−１のものである。これは、無線デバイスが、関心のある各ＭＬＣの位置レコードを迅速に検出し、抽出することを可能にする。
【００３５】
図５に示されている実施形態では、各位置レコードは、ＭＬＣ提示(MLC Present)ビットを含み、これは、関係付けられたＭＬＣが現在のスーパーフレームにおいて送られているときは、‘１’に設定され、そうでないときは、‘０’に設定される。ＭＬＣ提示ビットが‘１’に設定されているときは、位置レコードは、開始オフセット（Start Offset）フィールド、スロット情報(Slot Info)フィールド、およびストリーム長(Stream Length)フィールドを保持している。開始オフセットフィールドは、ＭＬＣに割り当てられたスロットのための、第１または開始シンボル期間表示を示す。スロット情報フィールドは、割り当てられたスロット(例えば、最小スロット、開始スロット、および最大スロット)を記載するのに使用される全てのパラメータを伝えるスロット情報を含んでいる。ストリーム長フィールドは、現在のスーパーフレーム内のＭＬＣによって保持されている各ストリーム層パケットの長さ（例えば、図３の３個のストリーム層パケットにおいてＮ０、Ｎ１、およびＮ２）を保持している。ＭＬＣに割り振られるスロット数は、ＭＬＣに使用されるストリーム長および伝送パラメータ(例えば、符号レートおよび変調方式)に基づいて判断され得る。ＭＬＣ提示ビットが‘０’に設定されているときは、位置レコードは、次のスーパーフレームのオフセット(Next Super-frame Offset)フィールドおよび予備(Reserved)フィールドを保持している。次のスーパーフレームのオフセットフィールドは、ＭＬＣが送られ得る次のスーパーフレームを示す。このフィールドが‘０’に設定されているときは、ＭＬＣは、何れかの到来するスーパーフレームにおいて送られ得る。このフィールドが、０以外の値に設定されているときは、この値は、ＭＬＣが続き得る次のスーパーフレームからの最少数のスーパーフレームを示す。例えば、次のスーパーフレームのオフセットフィールドが、４に設定されているときは、ＭＬＣは、現在のスーパーフレームから、少なくとも５つのスーパーフレームまで送られないであろう。無線デバイスは、ＭＬＣが次に現れるのを、最初にこの将来のスーパーフレームから、サーチし始め得る。テーブル１は、１本のＭＬＣの位置レコードの種々のフィールドをまとめている。
【表１】
2010109991.tif 000003
【００３６】
スロット情報は、この情報を伝えるのに必要とされるビット数を低減するために符号化され得る。スロット情報の例示的な符号化方式は、別途記載される。この符号化方式は、図４に示されているジグザグパターンを使用したスロット割り当てのためのものであり、さらに加えて、ＭＬＣのための最低スロット表示は１であり、最高スロット表示は７であると仮定している。スロット表示０は、ＦＤＭパイロット、制御チャネル、等に使用され得る。上述の仮定において、任意のＭＬＣの最低スロット表示(最小スロット)、開始スロット表示(開始スロット)、および最高スロット表示(最大スロット)は、次のように関係付けられている。
【００３７】
１≦最小スロット≦開始スロット≦最大スロット≦７          式（１）
開始スロット表示と最低スロット表示との間のデルタまたは差、および最高スロット表示と開始スロット表示との間のデルタは、次のように計算され得る。
【００３８】
Δ開始＝開始スロット−最小スロット          式（２）
Δ最大＝最大スロット−開始スロット          式（３）
各ＭＬＣのスロット情報は、そのＭＬＣの最小スロット、Δ開始、Δ最大に基づいて判断されるスロット情報符号値（スロット情報符号）によって与えられ得る。テーブル２は、最小スロット、Δ開始、およびΔ最大の、スロット情報符号への例示的なマッピングを示している。
【表２】
2010109991.tif 000004
【００３９】
最大スロット表示が、７であるときは、パラメータの最小スロット、開始スロット、および最大スロットの各々は、３ビットで伝えられ、各ＭＬＣのスロット情報は、３つのパラメータに対して９ビットで伝えられ得る。スロット情報符号は、テーブル２に示されている８４個の可能な符号値のために７ビットで伝えられ得る。したがって、上述の符号化方式は、各ＭＬＣのスロット情報を伝えるのに必要とされるビット数を低減する。
【００４０】
ストリーム層パケット長も、この情報を伝えるのに必要とされるビット数を低減するために符号化され得る。ストリーム層パケット長のための例示的な符号化方式は、別途記載される。この符号化方式は、図３に示されているパケットフォーマットのためのものであり、さらに加えて、（１）３個までのストリーム層パケットが、スーパーフレーム内のＭＬＣにおいて送られ得ることと、（２）３個のストリーム層パケットが、小、中、大のサイズをもつこととを仮定している。
【００４１】
図５に示されている実施形態において、ストリーム長フィールドは、ストリームモードサブフィールド、長さフォーマットサブフィールド、小ストリーム長サブフィールド、中ストリーム長サブフィールド、および大ストリーム長サブフィールドを含んでいる。ストリームモードサブフィールドが‘０’に設定されているときは、２個のストリーム層パケットがＭＬＣにおいて送られていることを示し、‘１’に設定されているときは、３個のストリーム層パケットがＭＬＣにおいて送られていることを示す。長さフォーマットサブフィールドは、ＭＬＣ上で送られる３本までのデータストリームのストリーム層パケットのサイズを示す。テーブル３は、３本のデータストリームの異なるストリーム層パケットに対するサイズの長さフォーマットサブフィールドの例示的な定義を示している。
【表３】
2010109991.tif 000005
【００４２】
テーブル３に示されている実施形態では、ＭＬＣによって保持されている１本のデータストリームは、“大”ストリームとして指定され、１本のデータストリームは、“中”ストリームとして指定され、(もし送られるならば)３番目のデータストリームは、“小”ストリームとして指定される。大、中、および小のストリームのストリーム層パケットは、それぞれ、Ｎｌａｒｇｅ、Ｎｍｅｄｉｕｍ、およびＮｓｍａｌｌ個までのＭＡＣパケットを保持し得る。大ストリーム長サブフィールドは、ＭＬＣ上で送られる大ストリームのためのストリーム層パケットの長さを示し、Ｂｌａｒｇｅビットを含み、なお、Ｂｌａｒｇｅ＝ｌｏｇ２（Ｎｌａｒｇｅ）である。中ストリーム長サブフィールドは、ＭＬＣ上で送られる中ストリームのストリーム層パケットの長さを示し、Ｂｍｅｄｉｕｍビットを含み、なお、Ｂｍｅｄｉｕｍ＝ｌｏｇ２（Ｎｍｅｄｉｕｍ）である。小ストリーム長サブフィールドは、（もし、あるならば）ＭＬＣ上で送られる小ストリームのためのストリーム層パケットの長さを示し、Ｂｓｍａｌｌビットを含み、なお、Ｂｓｍａｌｌ＝ｌｏｇ２（Ｎｓｍａｌｌ）である。
【００４３】
図５は、３本のデータストリームがＭＬＣ上で送られ、これらの３本のデータストリームのためのストリーム層パケットの長さを示すのに、３つのサブフィールドが使用される場合を示している。２本のみのデータストリームがＭＬＣ上で送られるときは、小ストリームのＢｓｍａｌｌビットは、中または大ストリームに使用され得る（図５には示されていない）。
【００４４】
ＭＬＣにおいて送られる各データストリームが、各スーパーフレームにおいて１０２４個までのＭＡＣパケットを保持できるとき、１０ビットのストリーム長サブフィールドが、各データストリームに使用され得る。この場合は、ＭＬＣにおいて保持される３本のデータストリームのストリーム層パケット長を伝えるのに、３０ビットが使用され得る。しかしながら、３本のデータストリームが異なる長さをもち、大、中、および小のストリームが、それぞれ、１０２４個、２５６個、および２個までのＭＡＣパケットを保持できるとき、Ｂｌａｒｇｅ＝１０、Ｂｍｅｄｉｕｍ＝８、およびＢｓｍａｌｌ＝１ビットが、３本のストリームに使用され得る。１ビットが、ストリームモードサブフィールドに使用され、３ビットが、長さフォーマットサブフィールドに使用されるとき、ＭＬＣによって保持される３本のデータストリームのストリーム層パケット長を伝えるのに、合計で２３ビットが使用され得る。したがって、上述の符号化方式は、各ＭＬＣのストリーム長を伝えるのに必要とされるビット数を低減することができる。
【００４５】
上述では、スロット情報のための特定の符号化方式およびストリーム長のための特定の符号化方式が記載された。例えば、異なるスロット割り当て方式、異なるパケットフォーマット、等のために、他の符号化方式も使用され得る。異なる符号化方式は、異なる数のビットの節約を達成し得る。何れの場合においても、符号化で達成されるビットの節約は、多数のＭＬＣにとって重要であり得る。オーバーヘッド情報が定期的に送られ、かつオーバーヘッドビットが比較的にコスト高であるので、効率を高めるために、オーバーヘッドビット数を可能な限り最小化することが望ましい。
【００４６】
図６は、データストリームの効率的な受信を容易にするやり方で、複合オーバーヘッド情報および埋め込まれたオーバーヘッド情報を伝送する実施形態を示している。複合オーバーヘッド情報は、各スーパーフレームの始めに、ＴＤＭ方式で送られ、全ＭＬＣの位置情報を含んでいる。例えば、１つのシステムパラメータメッセージは、ワイドエリアコンテンツを保持する全ＭＬＣの位置情報を含み、別のシステムパラメータメッセージは、ローカルエリアコンテンツを保持する全ＭＬＣの位置情報を含み得る。各受信可能領域タイプ(ワイドエリアまたはローカルエリア)のためのシステムパラメータメッセージは、その受信可能領域タイプのコンテンツを保持する各ＭＬＣの１つの位置レコードを含む。ＭＬＣがアクティブであるとき、各システムパラメータメッセージ内の各位置レコードは、現在のスーパーフレームの関係付けられたＭＬＣの位置情報(例えば、開始オフセット、スロット情報、およびストリーム長)を含んでいる。
【００４７】
符号化されたＭＡＣカプセルは、各アクティブなＭＬＣのために現在のスーパーフレームにおいて伝送される。実施形態において、符号化されたＭＡＣカプセルは、４つの同サイズの部分へ分割され、各部分は、１つのフレーム内のＭＬＣに割り当てられたスロット上で伝送される。４つのフレーム上での符号化されたＭＡＣカプセルの伝送は、時間にしたがって緩慢に変化するフェージングチャネルにおける、時間ダイバーシティおよびロバストな受信性能を与える。図６に示されているように、各ＭＬＣにおいて、同じスロットの割り当てが、スーパーフレームの４つのフレームに使用されてもよく、このスロット割り当ては、そのＭＬＣの位置レコードにおいて伝えられる。
【００４８】
実施形態では、各ＭＬＣ ｘのＭＡＣカプセルのＭＡＣカプセルヘッダは、ＭＬＣが次のスーパーフレームにおいて伝送されるとき、そのスーパーフレームのＭＬＣ ｘの位置情報を含んでいる。図６に示されている実施形態において、ＭＡＣカプセルヘッダは、ＭＬＣ ＩＤフィールドおよび次のＳＦの内容（Cont Next SF）フィールドを含んでいる。次のＳＦの内容フィールドは、ＭＬＣ ｘが次のスーパーフレームにおいて伝送されるときは、‘１’に設定され、そうでないときは、‘０’に設定される。ＭＬＣ ｘが次のスーパーフレームにおいて伝送されるとき、ＭＡＣカプセルヘッダは、次のＳＦの開始オフセット（Next SF Start Offset）フィールド、次のＳＦのスロット情報（Next SF Slot Info）フィールド、および次のＳＦのストリーム長（Next SF Stream Length）フィールドを含み、これらは、それぞれ、位置レコードにおける、ＳＦの開始オフセットフィールド、スロット情報フィールド、およびストリーム長フィールドと同じタイプの情報を伝える。しかしながら、位置レコードにおける開始オフセットフィールド、スロット情報フィールド、およびストリーム長フィールドは、現在のスーパーフレームのＭＬＣ ｘの“現在の”オーバーヘッド情報を保持している。ＭＡＣカプセルヘッダ内の次のＳＦの開始オフセットフィールド、次のＳＦのスロット情報フィールド、および次のＳＦのストリーム長フィールドは、次のスーパーフレームのＭＬＣ ｘの“将来”のオーバーヘッド情報を保持している。実施形態において、ＭＬＣ ｘが次のスーパーフレームにおいて伝送されないときは、ＭＡＣカプセルヘッダは、次のスーパーフレームのオフセットフィールド、および予備フィールド（図６には示されていない）を含み、これらは、位置レコードにおいて、それぞれ、次のスーパーフレームのオフセットフィールドおよび予備フィールドと同じタイプの情報を保持している。別の実施形態では、ＭＬＣ ｘが、次のスーパーフレームにおいて伝送されないときは、ＭＡＣカプセルヘッダは、ＭＬＣ ｘが伝送されることになる次のスーパーフレームのＭＬＣ ｘの位置情報(例えば、次のＳＦの開始オフセットフィールド、次のＳＦのスロット情報フィールド、および次のＳＦのストリーム長フィールド)を保持している。
【００４９】
図６に示されているように、電源がオンにされたばかりか、または新しいＭＬＣに切り換えられたばかりの無線デバイスは、各スーパーフレームの始めに送られた複合オーバーヘッド情報を受信し、新しいＭＬＣが現在のスーパーフレームにおいて送られることになる位置を判断し得る。次に、無線デバイスは、ＭＬＣの位置レコードによって示された位置において、この新しいＭＬＣのＭＡＣカプセルを受信し得る。無線デバイスは、ＭＡＣカプセルヘッダから、次のスーパーフレームのこのＭＬＣのための埋め込まれたオーバーヘッド情報を得ることができる。次に、無線デバイスは、この埋め込まれたオーバーヘッド情報を使用して、次のスーパーフレームの始めに送られる複合オーバーヘッド情報を処理する必要なく、次のスーパーフレームにおいてＭＬＣを受信し得る。マルチメディアプログラムにおいてよくあるように、ＭＬＣが各スーパーフレームにおいて連続的に伝送されるとき、無線デバイスは複合オーバーヘッド情報を、一回だけ受信する必要があり得る。その後で、無線デバイスは、ＭＡＣカプセルヘッダから、各将来のスーパーフレームのＭＬＣのための埋め込まれたオーバーヘッド情報を得ることができる。このようにして、無線デバイスは、より短い時間の継続期間の間、“オン”にされ、より多くのバッテリ電力を節約することができ得る。ＭＬＣのＩＤは、例えば、ＭＬＣが誤って復号された場合に、無線デバイスが適切なＭＬＣのＭＡＣカプセルを処理することを保証するために使用される。
【００５０】
図７は、多数のデータチャネルまたはＭＬＣのオーバーヘッド情報を伝送する処理700を示している。現在のスーパーストリームの各ＭＬＣの位置情報が判断される(例えば、ブロック712)。各ＭＬＣの位置情報は、ＭＬＣの時間−周波数の位置を示し、図５に示されているフォーマットまたは何か他のフォーマットをもち得る。将来(例えば、次)のスーパーフレームの各ＭＬＣの位置情報も判断される(例えば、ブロック714)。現在のスーパーフレームの複合オーバーヘッド情報は、現在のスーパーフレームの全ＭＬＣの位置情報で形成され（ブロック716）、現在のスーパーフレームの始めにＴＤＭ方式で伝送される（ブロック718）。将来のスーパーフレームの各ＭＬＣの位置情報は、現在のスーパーフレーム内のＭＬＣのペイロードと共に伝送される（ブロック720）。
【００５１】
上述の実施形態において、オーバーヘッド情報は、２つの部分で送られる。複合オーバーヘッド情報は、各スーパーフレームの始めに定期的に(例えば、毎秒１回のように、比較的に低い頻度で)送られ、そのスーパーフレームにおいて送られる全ＭＬＣのスロット割り当てを伝える。無線デバイスは、それが（例えば、電源をオンにされた後で）最初にコンテンツを要求しているとき、関心のあるＭＬＣが前のスーパーフレームにおいて誤って復号されたとき、無線デバイスが新しいＭＬＣを受信しているとき、無線デバイスが現在のＭＬＣから新しいＭＬＣへ受信を切り換えたとき、等に、複合オーバーヘッド情報を使用し得る。
【００５２】
無線デバイスは、埋め込まれたオーバーヘッド情報を使用して、次のスーパーフレームにおいて起動するときを判断し得る。無線デバイスは、現在のスーパーフレーム内の関心のあるＭＬＣを復号するのに成功すると、次のスーパーフレーム内で送られる複合オーバーヘッド情報を受信するために、起動する必要はない。これは、データストリームを受信するための無線デバイスのオン時間を低減する。したがって、埋め込まれたオーバーヘッド情報は、ＭＬＣが次のスーパーフレームにおいて送られることになる位置を与えるための電力効率の良いやり方である。無線デバイスは、この埋め込まれたオーバーヘッド情報を、ＭＬＣの処理の一部として得ることができる。各ＭＬＣが、既に記載したように、他のＭＬＣのためではなく、自分のみのための、埋め込まれたオーバーヘッド情報を保持しているとき、埋め込まれたオーバーヘッド情報は、このＭＬＣのための、次のスーパーフレームにおける１つの位置を示すことのみを必要とする。埋め込まれたオーバーヘッド情報は、ＭＬＣのペイロードに使用されるのと同じ誤り訂正符号化によって保護され、これは、埋め込まれたオーバーヘッド情報のロバストな受信を保証する。
【００５３】
スーパーフレームの継続期間は、複合オーバーヘッド情報および埋め込まれたオーバーヘッド情報が、全システム容量中の比較的に小さい割合を消費する一方で、それでもなおデータチャネル間の高速の変更を可能にするように、選択され得る。複合オーバーヘッド情報を、ワイドエリア部分とローカルエリア部分とへ分割することも、幾つかの恩恵を与える。ワイドエリア部分のためのオーバーヘッドのデータビットは、単一周波数のネットワーク(single-frequency network, SFN)においてＯＦＤＭを使用する恩恵を得るやり方で送られ得る。例えば、無線デバイスは、多数の基地局からオーバーヘッドのデータビットを受信し、結合して、より大きな受信の信頼性を得ることができる。ローカルエリア部分のためのオーバーヘッドのデータビットは、例えば、異なるＯＦＤＭパイロット構造、より低い符号レート、より低い次数の変調方式、等を使用して、ワイドエリア部分のためのものとは異なるやり方で伝送され、局所（local）の受信可能領域の境界におけるこれらのビットの受信を向上し得る。一般に、ワイドエリア部分とローカルエリア部分とは、同じまたは異なる符号化および変調方式で処理され、同じまたは異なるフォーマットおよび長さ、等をもち得る。オーバーヘッド情報は、トラヒックデータと同じくらいロバストであるように、処理され、伝送される。
【００５４】
各ＭＬＣの位置情報が、１回送られると、無線デバイスはＭＬＣを受信できる。全ＭＬＣの位置情報は、各スーパーフレームの始めに、複合オーバーヘッド情報において送られ得る。さらに加えて、各アクティブなＭＬＣの位置情報を、ＭＬＣのペイロードと共に冗長して送られ、ＭＬＣを受信する効率を向上し得る。しかしながら、この冗長の位置情報は、オプションであり、省かれ得る(すなわち、伝送されない)。
【００５５】
データチャネルのオーバーヘッド情報は、他のやり方でも送られ得る。例えば、ストリーム長は、位置レコードではなく、ＭＡＣカプセルヘッダに含まれてもよい。ＭＬＣが、２つ以上のスーパーフレームにおいて前もってスケジュールされているとき、位置レコードまたはＭＡＣカプセルヘッダ、あるいはこの両者は、次のスーパーフレーム以外のスーパーフレームのための位置情報も含み得る。ＭＡＣカプセルヘッダは、次のスーパーフレームの位置情報が、現在のスーパーフレームのものと同じであるかどうか示すビットを含み得る。その場合は、位置情報は、ＭＡＣカプセルヘッダから省かれ得る。
【００５６】
オーバーヘッド情報は、各ＭＬＣが伝送される位置を示す。制御チャネルは、ＭＬＣの他の関連情報を保持するのに使用され得る。例えば、制御チャネルは、各ＭＬＣにおいて、ＭＬＣに使用される符号レートおよび変調方式、ＭＬＣに使用されるブロック符号化、ＭＬＣによって保持される各データストリーム上で送られる媒体のタイプ、ＭＬＣによって保持される各データストリームに結び付けられる上位層エンティティ、等を保持し得る。制御チャネルは、無線デバイスによって事前に知られているやり方で送られ、その後で、無線デバイスは、他のシグナリングなしに、制御を受信することができる。
【００５７】
図８は、システム100における基地局の１つである基地局110xのブロック図を示している。基地局110xにおいて、送信(ＴＸ)データプロセッサ810は、データ源808から多数（Ｔ）のデータストリーム({ｄ１}ないし｛ｄＴ｝として示されている)を受信する。なお、Ｔ≧１である。各データストリームは、（例えば、図３に示されているように）データストリームが送られることになる各スーパーフレームの１つのストリーム層パケットを保持し得る。ＴＸデータプロセッサ810は、各ＭＬＣのための埋め込まれたオーバーヘッドデータも受信し、オーバーヘッドデータを、(例えば、図３に示されているような)ＭＬＣ上で送られる適切なストリーム層パケットに追加する。ＴＸデータプロセッサ810は、各データストリームを、そのストリームに使用される“モード”にしたがって処理し、対応するデータシンボルストリームを生成する。各データストリームのモードは、例えば、そのデータストリームに使用するための、符号レート、変調方式、等を指示し得る。ＴＸデータプロセッサ810は、（{ｓ１}ないし｛ｓＴ｝として示されている）Ｔ本のデータシンボルストリームを、シンボルマルチプレクサ（multiplexer, MUX）/チャネライザ820に与える。本明細書に使用されているように、データシンボルは、パケット／トラヒックデータのための変調シンボルであり、オーバーヘッドシンボルは、オーバーヘッドデータのための変調シンボルであり、パイロットシンボルは、(基地局および無線デバイスの両者によって事前に知られているデータである)パイロットのための変調シンボルであり、保護シンボルは０の信号値であり、変調シンボルは、変調方式(例えば、Ｍ−ＰＳＫ、Ｍ−ＱＡＭ、等)に使用される信号配置図内の点の複素数値である。
【００５８】
ＴＸデータプロセッサ810は、各スーパーフレームの始めに制御装置840から送られる（｛ｄ０として示されている｝）複素数のオーバーヘッドデータも受信する。ＴＸデータプロセッサ810は、オーバーヘッドデータに使用されたモードにしたがって、複合オーバーヘッドデータを処理し、({ｓ０}として示されている)オーバーヘッドシンボルストリームをチャネライザ820に与える。複合オーバーヘッドデータは、(図６に示されているように)ワイドエリア部分とローカルエリア部分とに分割され、例えば、同じまたは異なるモードに基づいて、個別に処理され得る。複合オーバーヘッドデータに使用されるモードは、通常、データストリームに使用されるものよりも、より低い符号レート、またはより低い次数の変調方式、あるいはこの両者と関係付けられ、時間選択性または周波数選択性、あるいはこの両者の地上無線チャネルにおける複合オーバーヘッドデータのロバストな受信を保証する。
【００５９】
チャネライザ820は、Ｔ本のデータシンボルストリーム内のデータシンボルを、それらの割り当てられたスロット上に多重化する。チャネライザ820は、パイロット伝送に使用されるスロット上のパイロットシンボルと、伝送に使用されないサブバンド上の保護シンボルとを与える。さらに加えて、チャネライザ820は、図２に示されているように、各スーパーフレームの始めに、パイロットおよびオーバーヘッドフィールド内のパイロットシンボルおよびオーバーヘッドシンボルを多重化する。チャネライザ820は、適切なサブバンドおよびシンボル期間上の、データ、オーバーヘッド、パイロット、および保護シンボルを保持している（｛ｓＣ｝として示されている）複合シンボルストリームを与える。ＯＦＤＭ変調器830は、複合シンボルストリームに対してＯＦＤＭ変調を行ない、ＯＦＤＭシンボルのストリームを送信機ユニット(transmitter unit, TMTR)832に与える。送信機ユニット832は、ＯＦＤＭシンボルストリームを調整し(例えば、アナログへ変換、フィルタリング、増幅、または周波数アップコンバート)、アンテナ834から伝送される被変調信号を生成する。
【００６０】
制御装置840は、基地局110xにおける動作を指示する。メモリユニット842は、制御装置840によって使用されるプログラムコードおよびデータのための記憶装置を与える。制御装置840またはスケジューラ844、あるいはこの両者は、スロットをアクティブなＭＬＣに割り振り、割り当てる。
【００６１】
図９は、システム100における無線デバイスの１つである無線デバイス120xのブロック図を示している。アンテナ912は、基地局110xによって伝送された被変調信号を受信し、受信信号を受信機ユニット(receiver unit, RCVR)914に与える。受信機ユニット914は、受信信号を調整し、ディジタル化し、処理し、サンプルストリームをＯＦＤＭ復調器916に与える。ＯＦＤＭ復調器916は、サンプルストリームに対してＯＦＤＭ復調を行なって、受信パイロットシンボル、受信データ、およびオーバーヘッドシンボルを得る。制御装置940は、受信パイロットシンボルに基づいて、基地局110xと無線デバイス120xとの間の無線リンクのチャネル応答推定値を導き出す。ＯＦＤＭ復調器916は、さらに加えて、チャネル応答推定値を用いて、受信データおよびオーバーヘッドシンボルに対してコヒーレントな検出(例えば、等化または整合フィルタリング)を行ない、シンボルデマルチプレクサ(demultiplexer, Demux)／デチャネライザ920に、“検出された”データおよびオーバーヘッドシンボル、すなわち、伝送されたデータおよびオーバーヘッドシンボルの推定値を、それぞれ与える。
【００６２】
制御装置940は、無線デバイスによって受信された１本以上のＭＬＣの(例えば、ユーザ選択のための)表示を得る。次に、制御装置940は、各選択されたＭＬＣのスロット割り当てを、（１）現在のスーパーフレームの始めに送られた複合オーバーヘッド情報か、または（２）ＭＬＣのための前のスーパーフレームにおいて受信されたＭＡＣカプセルヘッダにおいて送られた、埋め込まれたオーバーヘッド情報の何れかに基づいて、判断する。次に、制御装置940は、デチャネライザ920に制御信号を与える。デチャネライザ920は、制御信号に基づいて各シンボル期間における検出されたデータおよびオーバーヘッドシンボルをデマルチプレックスし、１つ以上の検出されたデータシンボルストリームまたは検出されたオーバーヘッドシンボルストリーム、あるいはこの両者をＲＸデータプロセッサ930に与える。ＲＸデータプロセッサ930は、複合オーバーヘッドデータに使用されるモードにしたがって、検出されたオーバーヘッドのシンボルストリームを処理し（例えば、シンボルデマップ、デインターリーブ、および復号）、復号されたオーバーヘッドデータを制御装置940に与える。さらに加えて、ＲＸデータプロセッサ930は、関心のある各ＭＬＣの各検出されたデータシンボルストリームを、そのストリームに使用されたモードにしたがって処理し、対応する復号されたデータストリームをデータシンク932に与える。通常、無線デバイス120xにおける処理は、基地局110xにおける処理と相補的である。
【００６３】
制御装置940は、無線のデバイス120xにおける動作も指示する。メモリユニット942は、制御装置940によって使用されるプログラムコードおよびデータのための記憶装置を与える。
【００６４】
本明細書に記載されている、オーバーヘッド情報を伝送する技術は、種々の手段によって実施され得る。例えば、これらの技術は、ハードウェア、ソフトウェア、またはその組合せで実施され得る。ハードウェアの実施では、基地局における処理ユニットは、１つ以上の特定用途向け集積回路（application specific integrated circuit, ASIC）、ディジタル信号プロセッサ（digital signal processor, DSP）、ディジタル信号処理デバイス（digital signal processing device, DSPD）、プログラマブル論理デバイス（programmable logic device, PLD）、フィールドプログラマブルゲートアレイ（field programmable gate array, FPGA）、プロセッサ、制御装置、マイクロ制御装置、マイクロプロセッサ、本明細書に記載されている機能を実行するように設計された他の電子ユニット、またはこの組合せの中に構成され得る。無線デバイスにおける処理ユニットは、１つ以上のＡＳＩＣ、ＤＳＰ、等の中にも構成され得る。
【００６５】
ソフトウェアの実施では、本明細書に記載されている技術は、本明細書に記載されている機能を行なうモジュール(例えば、手続き、機能、等)を用いて実施され得る。ソフトウェアコードは、メモリユニット(例えば、メモリユニット842および／または942)に記憶され、プロセッサ(例えば、制御装置840および／または940)によって実行され得る。メモリユニットは、プロセッサ内またはプロセッサの外部に構成され得る。
【００６６】
開示されている実施形態の上記説明は、当業者が本発明を構成または使用することを可能にすべく提供されている。これらの実施形態への種々の変更は当業者には容易に明らかになり、本明細書において定義されている一般的な原理は、本発明の主旨および範囲から逸脱することなく他の実施形態に適用され得る。したがって、本発明は本明細書に示されている実施形態に制限されることを意図されるものではなく、本明細書に開示されている原理および新規な特徴と合致する最大の範囲に一致すべきものである。
【符号の説明】
【００６７】
100…無線マルチキャリア同報通信システム、110…基地局、120…無線デバイス、700…処理。
【図１】
2010109991.tif 000006
【図２】
2010109991.tif 000007
【図３】
2010109991.tif 000008
【図４】
2010109991.tif 000009
【図５】
2010109991.tif 000010
【図６】
2010109991.tif 000011
【図７】
2010109991.tif 000012
【図８】
2010109991.tif 000013
【図９】
2010109991.tif 000014
【手続補正書】
【提出日】平成22年1月4日(2010.1.4)
【手続補正１】
【補正対象書類名】特許請求の範囲
【補正対象項目名】全文
【補正方法】変更
【補正の内容】
【特許請求の範囲】
【請求項１】
通信システムにおいてオーバーヘッド情報を伝送する方法であって、
複数のデータチャネルの各々の位置情報を判断することであって、各データチャネルの位置情報が、データチャネルが伝送される時間位置、周波数位置、または時間および周波数の両者の位置を示していることと、
オーバーヘッド情報を前記複数のデータチャネルの位置情報を用いて生成することと、
前記オーバーヘッド情報を時分割多重化(time division multiplexed, TDM)方式で前記複数のデータチャネルのデータと共に伝送することとを含み、
複数のスーパーフレームにおいて前記複数のデータチャネルを伝送することであって、各スーパーフレームが所定の時間の継続期間をもつことをさらに含み、
前記オーバーヘッド情報をＴＤＭ方式で伝送することが、各スーパーフレーム内の前記オーバーヘッド情報をＴＤＭ方式で前記複数のデータチャネルのデータと共に伝送することを含み、
将来のスーパーフレームの各データチャネルの位置情報を判断することであって、将来のスーパーフレームの各データチャネルの位置情報が、データチャネルが将来のスーパーフレームにおいて伝送される時間位置、周波数位置、または時間および周波数の両者の位置を示していることと、
前記将来のスーパーフレームの各データチャネルの位置情報を、現在のスーパーフレーム内のデータチャネルのデータと共に伝送することとをさらに含む方法。
【請求項２】
通信システムにおける装置であって、この装置は、
複数のデータチャネルの各々の位置情報を判断し、オーバーヘッド情報を前記複数のデータチャネルの位置情報を用いて生成するように動作可能な制御装置であって、各データチャネルの位置情報が、データチャネルが伝送される時間位置、周波数位置、または時間および周波数の両者の位置を示している制御装置と、
時分割多重化（ＴＤＭ）方式で前記複数のデータチャネルのデータと共に伝送される前記オーバーヘッド情報を処理するように動作可能なデータプロセッサとを含み、
各々所定の時間の継続期間をもつ複数のスーパーフレームにおいて前記複数のデータチャネルを伝送し、さらに加えて、各スーパーフレームにおいて前記オーバーヘッド情報を伝送するように動作可能な送信機ユニットをさらに含み、
前記制御装置が、将来のスーパーフレームの各データチャネルの位置情報を判断するようにも動作可能であり、前記将来のスーパーフレームの各データチャネルの位置情報が、データチャネルが将来のスーパーフレームにおいて伝送される時間位置、周波数位置、または時間および周波数の両者の位置を示し、前記データプロセッサが、現在のスーパーフレーム内のデータチャネルのデータと共に伝送するための、前記将来のスーパーフレームの各データチャネルの位置情報を処理するようにも動作可能である。
【請求項３】
前記通信システムが、直交周波数分割多重化(orthogonal frequency division multiplexing, OFDM)を使用する無線同報通信システムである請求項２記載の装置。
【請求項４】
通信システムにおける装置であって、この装置は、
複数のデータチャネルの各々の位置情報を判断する手段であって、各データチャネルの位置情報が、データチャネルが伝送される時間位置、周波数位置、または時間および周波数の両者の位置を示している手段と、
オーバーヘッド情報を前記複数のデータチャネルの位置情報を用いて生成する手段と、
オーバーヘッド情報を時分割多重化（ＴＤＭ）方式で複数のデータチャネルのデータと共に伝送する手段とを含み、
複数のスーパーフレームにおいて複数のデータチャネルを伝送する手段であって、各スーパーフレームが所定の時間の継続期間をもち、前記オーバーヘッド情報が各スーパーフレームにおいて伝送される手段をさらに含み、
将来のスーパーフレームの各データチャネルの位置情報を判断する手段であって、将来のスーパーフレームの各データチャネルの位置情報が、前記データチャネルが前記将来のスーパーフレームにおいて伝送される時間位置、周波数位置、または時間および周波数の両者の位置を示している手段と、
前記将来のスーパーフレームの各データチャネルの位置情報を、現在のスーパーフレーム内のデータチャネルのデータと共に伝送する手段とをさらに含む。
【請求項５】
通信システムにおいてオーバーヘッド情報を伝送する方法であって、
複数のスーパーフレームにおいて複数のデータチャネルを伝送することであって、各スーパーフレームが所定の時間の継続期間をもち、各データチャネルが少なくとも１本のデータストリームを保持していることと、
複数のデータチャネルの各々の位置情報を判断することであって、各データチャネルの位置情報が、データチャネルが将来のスーパーフレームにおいて伝送される時間位置、周波数位置、または時間および周波数の両者の位置を示していることと、
各データチャネルの位置情報を、現在のスーパーフレーム内のデータチャネルのデータと共に伝送することとを含む方法。
【請求項６】
前記将来のスーパーフレームが、前記現在のスーパーフレームに直ぐ後に続く次のスーパーフレームである請求項５記載の方法。
【請求項７】
前記将来のスーパーフレームが、前記現在のスーパーフレームから２つ以上のスーパーフレームである請求項５記載の方法。
【請求項８】
前記複数のデータチャネルの各々の位置情報を判断することが、
前記データチャネルが将来のスーパーフレームにおいて伝送されるかどうか示すための、各データチャネルの位置情報を生成することを含む請求項５記載の方法。
【請求項９】
複数のスーパーフレームにおいて複数のデータチャネルを伝送するように動作可能な送信機ユニットであって、各スーパーフレームが所定の時間の継続期間をもち、各データチャネルが少なくとも１本のデータストリームを保持している送信機ユニットと、
前記複数のデータチャネルの各々の位置情報を判断するように動作可能な制御装置であって、各データチャネルの位置情報が、データチャネルが将来のスーパーフレームにおいて伝送される時間位置、周波数位置、または時間および周波数の両者の位置を示す制御装置と、
現在のスーパーフレーム内のデータチャネルのデータと共に伝送される各データチャネルの位置情報を処理するように動作可能なデータプロセッサとを含む通信システムにおける装置。
【請求項１０】
複数のスーパーフレームにおいて複数のデータチャネルを伝送する手段であって、各スーパーフレームが所定の時間の継続期間をもち、各データチャネルが少なくとも１本のデータストリームを保持している手段と、
前記複数のデータチャネルの各々の位置情報を判断する手段であって、各データチャネルの位置情報が、データチャネルが将来のスーパーフレームにおいて伝送される時間位置、周波数位置、または時間および周波数の両者の位置を示す手段と、
各データチャネルの位置情報を、現在のスーパーフレーム内のデータチャネルのデータと共に伝送する手段とを含む通信システムにおける装置。
【請求項１１】
通信システムにおいてデータを受信する方法であって、
複数のスーパーフレームにおいて伝送される複数のデータチャネルのオーバーヘッド情報を受信することであって、各スーパーフレームが所定の時間の継続期間をもち、現在のスーパーフレームのオーバーヘッド情報が、時分割多重化（ＴＤＭ）方式で、前記複数のデータチャネルのための現在のスーパーフレームにおいて送られるデータと共に伝送されることと、
前記現在のスーパーフレームにおいて受信される前記オーバーヘッド情報から、選択されたデータチャネルの第１の位置情報を得ることであって、第１の位置情報が、選択されたデータチャネルが前記現在のスーパーフレームにおいて伝送されている時間位置、周波数位置、または時間および周波数の両者の位置を示していることと、
前記第１の位置情報に基づいて、前記選択されたデータチャネルを前記現在のスーパーフレームにおいて受信することとを含み、
前記選択されたデータチャネルを処理して、前記選択されたデータチャネルの第２の位置情報を得ることであって、第２の位置情報が、前記選択されたデータチャネルのデータと共に前記現在のスーパーフレームにおいて伝送され、前記選択されたデータチャネルが将来のスーパーフレームにおいて伝送される時間位置、周波数位置、または時間および周波数の両者の位置を示していることと、
前記第２の位置情報に基づいて、前記選択されたデータチャネルを前記将来のスーパーフレームにおいて受信することとをさらに含む方法。
【請求項１２】
通信システムにおける装置であって、この装置は、
複数のスーパーフレームにおいて伝送される複数のデータチャネルのオーバーヘッド情報を受信し、現在のスーパーフレームにおいて受信される前記オーバーヘッド情報から、前記選択されたデータチャネルの第１の位置情報を得るように動作可能な制御装置であって、各スーパーフレームが所定の時間の継続期間をもち、前記現在のスーパーフレームのオーバーヘッド情報が、時分割多重化(ＴＤＭ)方式で、前記複数のデータチャネルのための現在のスーパーフレームにおいて送られるデータと共に伝送され、前記第1の位置情報が、前記選択されたデータチャネルが現在のスーパーフレームにおいて伝送される時間位置、周波数位置、または時間および周波数の両者の位置を示している制御装置と、
前記第１の位置情報に基づいて、前記選択されたデータチャネルを現前記在のスーパーフレームにおいて受信するように動作可能なデータプロセッサとを含み、
前記データプロセッサが、前記選択されたデータチャネルを処理して、前記選択されたデータチャネルの第２の位置情報を得るようにも動作可能であり、前記第２の位置情報が、前記選択されたデータチャネルのデータと共に現在のスーパーフレームにおいて伝送され、前記選択されたデータチャネルが将来のスーパーフレームにおいて伝送される時間位置、周波数位置、または時間および周波数の両者の位置を示し、前記データプロセッサが、前記第２の位置情報に基づいて、前記選択されたデータチャネルを前記将来のスーパーフレームにおいて受信するようにも動作可能である。
【請求項１３】
通信システムにおける装置であって、この装置は、
複数のスーパーフレームにおいて伝送される複数のデータチャネルのオーバーヘッド情報を受信する手段であって、各スーパーフレームが、所定の時間の継続期間をもち、現在のスーパーフレームの前記オーバーヘッド情報が、時分割多重化（ＴＤＭ）方式で、複数のデータチャネルのための現在のスーパーフレームにおいて送られるデータと共に伝送される手段と、
前記現在のスーパーフレームにおいて受信される前記オーバーヘッド情報から、前記選択されたデータチャネルの第１の位置情報を得る手段であって、前記第１の位置情報が、前記選択されたデータチャネルが前記現在のスーパーフレームにおいて伝送されている時間位置、周波数位置、または時間および周波数の両者の位置を示している手段と、
前記第１の位置情報に基づいて、前記選択されたデータチャネルを前記現在のスーパーフレームにおいて受信する手段とを含み、
前記選択されたデータチャネルを処理して、前記選択されたデータチャネルの第２の位置情報を得る手段であって、前記第２の位置情報が、前記選択されたデータチャネルのデータと共に前記現在のスーパーフレームにおいて伝送され、前記選択されたデータチャネルが将来のスーパーフレームにおいて伝送される時間位置、周波数位置、または時間および周波数の両者の位置を示している手段と、
前記第２の位置情報に基づいて、前記選択されたデータチャネルを前記将来のスーパーフレームにおいて受信する手段とをさらに含む。
【外国語明細書】
2010109991000001.pdf